(57)【要約】【課題】  画像読取装置において原稿の衛生状態を向上させる機能がなかった。紫外線ランプを使用して殺菌処理を行う場合、過度な紫外線ランプの使用によって電力が浪費される恐れがあった。【解決手段】  本発明の画像読取装置は、原稿を搬送する原稿搬送手段と、前記原稿搬送手段によって搬送される原稿の画像を読み取るための画像読取手段と、前記原稿搬送手段によって搬送される原稿を殺菌するために紫外線を照射する紫外線ランプと、前記原稿搬送手段が原稿を搬送する搬送速度が遅い程、前記紫外線ランプの光量を小さくするように制御する制御部と、を有する。【選択図】  図１
2014110496.tif 000002
【特許請求の範囲】
【請求項１】
画像読取手段によって画像が読み取られる原稿を搬送する原稿搬送手段と、
前記原稿搬送手段によって搬送される原稿を殺菌するために紫外線を照射する紫外線ランプと、
前記原稿搬送手段が原稿を搬送する搬送速度が遅い程、前記紫外線ランプの光量を小さくするように制御する制御部と、を有することを特徴とする画像読取装置。
【請求項２】
前記制御部は、画像読取に係るモードを選択可能に構成された操作部によって選択されたモードに応じた搬送速度で原稿を搬送させるように前記原稿搬送手段を制御するとともに、前記原稿搬送手段が原稿を搬送する搬送速度が遅い程、前記紫外線ランプの光量を小さくするように制御することを特徴とする請求項１に記載の画像読取装置。
【請求項３】
前記制御部は、省電力モードを選択可能に構成された操作部によって省電力モードが選択された場合に、前記省電力モードが選択されなかった場合よりも原稿の搬送速度を低速にするように前記原稿搬送手段を制御するとともに前記紫外線ランプの光量を小さくするように制御することを特徴とすることを特徴とする請求項１に記載の画像読取装置。
【請求項４】
搬送される原稿の速度を検知する検知手段を有し、
前記検知手段によって検知された原稿の搬送速度に応じて、前記紫外線ランプの光量を前記制御部が制御することを特徴とする請求項１に記載の画像読取装置。
【請求項５】
原稿を搬送する原稿搬送手段と、
前記原稿搬送手段によって搬送される原稿の画像を読み取るための画像読取手段と、
前記原稿搬送手段によって搬送される原稿を殺菌するために紫外線を照射する紫外線ランプと、
搬送される原稿の厚みが薄い程、前記紫外線ランプの光量を小さくするように制御する制御部と、を有することを特徴とする画像読取装置。
【請求項６】
請求項１乃至５のいずれかに記載の画像読取装置と、
前記画像読取装置によって読み取られた原稿の画像に基づいてシートに画像を形成する画像形成部と、を有することを特徴とする画像形成装置。
【発明の詳細な説明】
【技術分野】
【０００１】
本発明は、原稿の画像を読み取る画像読取装置、およびこれを備えた画像形成装置に関する。
【背景技術】
【０００２】
従来、複写機などには、原稿の画像を読み取る画像読取装置が設けられている。画像読取装置として、自動原稿給送装置（ＡＤＦ）から給紙された原稿を副走査方向へ搬送しながら、所定位置に停止されているスキャナユニットにより読み取りを行う（特許文献１参照）。
【０００３】
ところで、近年、消費者の健康志向や安心志向はますます高くなってきている。
【０００４】
シート類の殺菌に関しては、紙幣を殺菌する機能を有する装置（紙幣取引装置）が知られている（特許文献２参照）。この種の紙幣取引装置においては、紙幣の殺菌手段として、加熱、紫外線、薬品塗布等による殺菌方法が示されている。
【先行技術文献】
【特許文献】
【０００５】
【特許文献１】特開２００７−１８０８４５号
【特許文献２】特開平３−２０９５９５号
【発明の概要】
【発明が解決しようとする課題】
【０００６】
従来の画像読取装置においては、原稿の衛生状態を向上させるための殺菌処理をする機能がついたものはなかった。
【０００７】
そこで、本発明の目的は、原稿を搬送しながら原稿の衛生処理（殺菌）が可能である画像読取装置を提供することである。
【課題を解決するための手段】
【０００８】
本発明は、上記目的を達成するため、画像読取手段によって画像が読み取られる原稿を搬送する原稿搬送手段と、前記原稿搬送手段によって搬送される原稿を殺菌するために紫外線を照射する紫外線ランプと、前記原稿搬送手段が原稿を搬送する搬送速度が遅い程、前記紫外線ランプの光量を小さくするように制御する制御部と、を有することを特徴とする画像読取装置である。
【０００９】
また、本発明は、原稿を搬送する原稿搬送手段と、前記原稿搬送手段によって搬送される原稿の画像を読み取るための画像読取手段と、前記原稿搬送手段によって搬送される原稿を殺菌するために紫外線を照射する紫外線ランプと、搬送される原稿の厚みが薄い程、前記紫外線ランプの光量を小さくするように制御する制御部と、を有することを特徴とする画像読取装置である。
【発明の効果】
【００１０】
本発明によれば、殺菌ランプを用いて原稿の殺菌を行う画像読取装置の提供が可能であり、さらに、原稿の搬送速度や原稿の厚みに応じて殺菌ランプの光量を変更するので、殺菌ランプの消費電力の浪費防止および殺菌ランプの寿命の延命化が可能になる。
【図面の簡単な説明】
【００１１】
【図１】本発明に第１の実施形態に係わる画像読取装置の断面図。
【図２】本発明に係わる画像形成装置の断面図。
【図３】本発明に係わる紫外線照射度と紫外線ランプ中心部からの乖離距離を示す図。
【図４】本発明に係わる給紙動作および殺菌動作のフロー図。
【図５】本発明の第２の実施形態に係わる画像読取装置の断面図。
【図６】本発明の第２の実施形態に係わる画像形成装置の断面図。
【図７】本発明の第２の実施形態に係わる給紙動作および殺菌動作のフロー図。
【図８】本発明の第３の実施形態に係わる給紙動作および殺菌動作のフロー図。
【図９】本発明の第４の実施形態に係わる給紙動作および殺菌動作のフロー図。
【図１０】本発明の第５の実施形態に係わる給紙動作および殺菌動作のフロー図。
【図１１】シート処理装置の制御部構成を示すブロック図。
【図１２】本発明の第４の実施形態に係わるシート処理装置の制御部構成を示すブロック図。
【発明を実施するための形態】
【００１２】
以下、図面を参照して、本発明の好適な実施の形態を例示的に詳しく説明する。なお、以下の実施形態では、シート搬送装置としてシート上の画像情報を読み取ることが可能な原稿送り装置・画像読取装置を有する画像形成装置を例示し、更にはこの画像形成装置として複写機を例示して説明する。
【００１３】
本発明の実施の形態に係る画像読取装置を有する画像形成装置について説明する。図１は本実施形態に係る画像読取装置の断面図、図２は画像形成装置の断面図、図３は紫外線照射度と紫外線ランプ中心部からの乖離距離を示す図、図４は給紙動作および殺菌動作を示すフロー図である。
【００１４】
［画像形成システム全体構成］
図２は、本発明の実施の形態に係る画像形成装置の構成を示す断面図である。図２において１１はカラー画像形成装置であり、このカラー画像形成装置１１は、カラープリンタ１０１とその上部に配置された画像読取装置２０１とから構成されている。
【００１５】
［画像形成装置構成］
カラープリンタ１０１は、画像読取装置２０１によって読み取られた画像に基づいてシートに画像を形成する。以下でカラープリンタ１０１の構成について説明する。
【００１６】
カラープリンタ１０１の中央部には画像形成部４が配置されており、この画像形成部４は周知の電子写真方式によるプリントエンジンとして構成され、電子写真プロセス手段１５２、定着装置１５３および図示しないレーザ書き込み装置等を内蔵している。ここで、画像形成部４に搬送されたシートは、感光ドラム４３、４４、４５、４６に形成されたトナー像を順次転写され、定着装置１５３へと搬送されていき、定着ローラ４１により熱定着される。また、カラープリンタ１０１の下部には、上述の画像形成部４にシートを給送するシート給送部３が配置されている。このシート給送部３は、装置本体に対して引き出し可能に配置された上下２段のシート積載カセット２９、３０を備えている。また、カラープリンタ１０１は両面印刷が可能であり、画像形成部４の下方には両面反転パス５０が水平方向に配置されており、その下方には両面反転パス５０と接続され、かつ水平方向に配置された両面パス５２が備えられている。また、カラープリンタ１０１のシート排出部８付近にはシート反転パス４８が配置されている。
【００１７】
［カラープリンタの動作説明］
以下、カラープリンタ１０１における画像形成動作およびシート搬送動作について説明する。
【００１８】
カラープリンタ１０１においては、画像形成部４の露光制御部（不図示）で、スキャナ部６６で生成された原稿の画像についての画像信号に応じたレーザ光が出力される。カラープリンタ１０１では、このレーザ光が感光ドラム４３、４４、４５、４６に照射され、それぞれの感光ドラム上に静電潜像が形成され、さらに、現像器（不図示）によってこの静電潜像がトナー像に現像される。
【００１９】
一方、カラープリンタ１０１では、上述したシート給送部３のシート積載カセット２９、３０のいずれかからシートが給送され、給送されたシートが搬送ローラにより画像形成部４へと搬送される。そして、感光ドラム４３〜４６上の現像剤（トナー）が転写器（不図示）によってシートに転写され、原稿の画像に基づく画像の転写処理が行われる。
【００２０】
現像剤が転写されたシートは、定着装置１５３へと搬送され、定着装置１５３で現像剤の定着処理が施される。定着ローラ４１を通過したシートはシート排出部８へと搬送されていく。このとき画像形成面は上向きの状態（ファイスアップ）のままシート格納部１１１へと搬送されていく。シートをカラープリンタ１０１から排出する前にシート反転パス４８でシートを反転させることにより、画像形成面が下向きの状態（フェイスダウン）で排出することも可能となっている。
【００２１】
また、シートの両面に画像を形成する場合には、定着ローラ４１を通過したシートを両面反転パス５０へと導き、その後シートをスイッチバックさせて両面パス５２へ導く。その後、画像形成面を下側とした状態で再び画像形成部４に送り込み、２面目の画像形成の処理を終えたシートを上述のようにカラープリンタ１０１から排出する。カラープリンタ１０１から排出されたシートは排出トレイ２７上に積載される。
【００２２】
［画像読取装置構成］
次に、画像読取装置２０１の構成について説明する。図１は本実施形態に係る画像読取装置の断面図である。
【００２３】
画像読取装置２０１は、現行の画像を読み込むための画像読取手段としてのスキャナ部６６およびＡＤＦ２１０から構成される。ＡＤＦ２１０は透明ガラスとしての流し読みガラス２０上に原稿Ｓを一枚ずつ送るものである。またＡＤＦ２１０はスキャナ部６６に対して開閉可能に構成されており、プラテン１８上に載置した原稿を押圧するよう作用する。スキャナ部６６は、前記ＡＤＦ２１０によって搬送される原稿またはプラテン１８上に載置された原稿の画像を光学的に読み取り、光電変換して画像情報として入力するものである。
【００２４】
図１に示すように、画像読取装置は、前記流し読みガラス２０上を搬送されている原稿の一方の面の画像を読み取る第１の読取手段としてのコンタクトイメージセンサ２４を有している。前記コンタクトイメージセンサ２４は、前記ＡＤＦ２１０側の所定位置（図１に示す位置）に固定されており、前記流し読みガラス２０上を搬送されている原稿の一方面の画像を読み取る。
【００２５】
また、画像読取装置は、原稿の他方面の画像を読み取る第２の読取手段を有している。第２の読取手段は、ランプ２０２やミラー２０３等を有する移動可能なスキャナユニット２０４、ミラー２０５、２０６、レンズ２０７、イメージセンサ２０８等により構成されている。この第２の読取手段は、スキャナ部６６側に設けられている。第２の読取手段は、スキャナユニット２０４を所定位置（図１に示す位置）に停止させ、該スキャナユニット２０４上の前記流し読みガラス２０上を搬送されている原稿の他方面の画像を読み取る。または第２の読取手段は、前記流し読みガラス２０に沿って前記スキャナユニット２０４を移動させつつ、前記流し読みガラス２０上に載置された原稿の他方面の画像を読み取る。
【００２６】
また、スキャナ部６６は、前記コンタクトイメージセンサ２４の対向位置において原稿の裏写りを防止する裏写り防止手段としての裏写り防止部材３０を有している。この裏写り防止部材３０は、前記コンタクトイメージセンサ２４に対向する位置から前記スキャナユニット２０４の移動による画像読み取りを妨げない位置（図１に示す点線位置）に移動可能に設けられている。
【００２７】
また、図１に示すように、前記裏写り防止部材３０は、前記プラテン１８を介して前記コンタクトイメージセンサ２４と対向する前記スキャナユニット２０４側に設けられている。
【００２８】
次に、ＡＤＦ２１０は、上方に原稿トレイ６４を有している。原稿トレイ６４上の原稿Ｓは、給紙ローラ１７により順次その最上位の原稿から繰り出される。繰り出された原稿Ｓは、分離搬送ローラ１９によって一枚ずつ分離給送される。分離給送された原稿Ｓは、第１搬送ローラ１５および第２搬送ローラ１４によって搬送される。そして、原稿がスキャナ部６６の流し読みガラス２０上を通過する際に、前記スキャナユニット２０４、前記コンタクトイメージセンサ２４のいずれか一方又は両方によって画像を読み取られる。画像が読み取られた原稿Ｓは、排出ローラ１６によって排出トレイ６５上に排出される。第１搬送ローラ１５、第２搬送ローラ１４などの原稿の搬送路上に設けられた各ローラによって原稿搬送手段が構成されている。
【００２９】
次に、ＡＤＦ２１０の駆動制御する制御部の構成について図１１を参照しながら説明する。
【００３０】
ＡＤＦ２１０の制御部は、図１１に示すように、ＣＰＵ１００１、ＲＯＭ１００２、ＲＡＭ１００３などで構成される。制御部としてのＣＰＵ回路部１０００を有する。ＣＰＵ回路部１０００は、通信ＩＣ１００４を介して画像形成装置本体側に設けられたＣＰＵ回路部１００５と通信してデータ交換を行う。そして、ＣＰＵ回路部１０００は、ＣＰＵ回路部１００５からの指示に基づきＲＯＭ１００２に格納されている各種プログラムを実行してＡＤＦ２１０の駆動制御を行う。
【００３１】
この駆動制御を行う際には、ＣＰＵ回路部１０００に各種センサーからの検出信号が取り込まれる。この各種センサーとしては、原稿検知センサーなどがある。
【００３２】
ＣＰＵ回路部１０００にはドライバー１００６が接続され、ドライバー１００６はＣＰＵ回路部１０００からの信号に基づきモータＭ１および後述の紫外線ランプの動作を制御する。
【００３３】
これらのモータＭ１はステッピングモータからなり、励磁パルスレートを制御することによって各モータにより駆動するローラ対を等速で回転させたり、独自の速度で回転させたりすることができる。また、ドライバー１００６により正逆のそれぞれの回転方向に駆動可能である。
【００３４】
［紫外線ランプ構成］
本発明の実施の形態に係る、原稿の衛生状態を向上させる殺菌処理を行うための殺菌手段としての紫外線ランプ３０１の構成について説明する。紫外線ランプ３０１は第１搬送ローラ１５の下流側で、かつ第２搬送ローラ１４の上流側に配置され、また屈曲形状をした内側ガイド板３０３に囲まれるように配置されている。紫外線ランプ３０１の背面には紫外線反射板３０２が設けられている。紫外線の照射度は、図３に示すように、紫外線ランプ３０１から離れるほど小さくなることが知られている。そのため、内側ガイド板３０３と紫外線ランプ３０１との距離は可能な限り近づける方が望ましい。
【００３５】
紫外線ランプ３０１は、紫外線殺菌に最も効果的な波長２５４ｎｍを発するもので、内側ガイド部材３０３および外側ガイド部材３０４に沿って搬送されてくる原稿に紫外線を照射する。その際、内側ガイド板３０３には不図示のスリットが設けられており、紫外線ランプ３０１から照射された紫外線は、そのスリットを透過して原稿に対して紫外線を照射する。また内側ガイド板３０３は、紫外線ランプ３０１から照射される紫外線を極力遮らないように原稿Ｓの案内に必要最小限の形状および大きさとされている。外側ガイド板３０４にはスリットは設けられていないため、紫外線ランプ３０１から照射された紫外線がガイド板の外側へ洩れないようになっている。
【００３６】
また、紫外線ランプ３０１の照射量は、ＣＰＵ回路部１０００がドライバー１００６を介して制御（調整）することが可能となっている。
【００３７】
［給紙動作および殺菌動作の詳細説明］
次に、ＣＰＵ回路部１０００によって行われる給紙動作および殺菌動作について図４を利用して詳細に説明する。
まず、原稿Ｓを原稿トレイ６４上にセットすると、不図示のセンサーによって原稿Ｓが検知され、ＡＤＦ２１０は動作開始可能な状態（スタンバイ状態）となり、スタートキー押下などにより、動作が開始する。
【００３８】
するとまず、不図示の操作部（選択手段）により選択されたコピーモードが拡大変倍の設定かどうかの判定が行われる（Ｓ１０１）。ここで拡大変倍の設定と判定されると、原稿搬送速度がＺ３（ｍｍ／ｓ）に設定される（Ｓ１０２）。それと同時に、紫外線の照射量（光量）がＡ３（ｍＷ／ｃｍ２）と決定される（Ｓ１０４）。コピーモードが拡大変倍ではない場合（通常の場合）には、原稿搬送速度はＺ１（ｍｍ／ｓ）に設定され（Ｓ１０３）、同時に紫外線の照射量（光量）はＡ１（ｍＷ／ｃｍ２）と決定される（Ｓ０１５）。このとき、原稿搬送速度は、
Ｚ３＜Ｚ１
の関係となっている。また紫外線の照射量は
Ａ３＜Ａ１
の関係となっている。
【００３９】
具体的には、例えば２００％の拡大コピーと選択された場合には、
Ｚ３＝１／２×Ｚ１
となる。そして紫外線照射量は
Ａ３＝１／２×Ａ１
となる。
【００４０】
紫外線照射量が決定されると、紫外線ランプ３０１がＯＮとなる（Ｓ１０６）。この際、スキャナユニット２０４は、流し読み位置まで移動され停止する。
そして給紙開始信号を受け、原稿の給紙動作を開始する（Ｓ１０７）。
【００４１】
給紙動作が始まると、まずピックアップローラ１７が不図示のシャフトを中心に下降を開始する。そして原稿トレイ６４上の最上紙の原稿に着地すると、原稿Ｓが給紙される。その後分離ローラ１９、搬送ローラ１５と順次原稿Ｓは搬送速度Ｚ３（ｍｍ／ｓ）で搬送されていく。
【００４２】
搬送ローラ１５を通過した原稿Ｓは、紫外線ランプ３０１によりＡ３（ｍＷ／ｃｍ２）の紫外線を一方の面に照射されながら搬送されていく（Ｓ１０８）。紫外線ランプ３０１から照射された紫外線の一部は紫外線反射板３０２により反射され、原稿Ｓに照射される。原稿Ｓへの紫外線の照射は、原稿が第２搬送ローラ１４に到達するまで続く。
【００４３】
また、紫外線は一般的に紙を透過することが分かっているため、原稿Ｓの一方の面を殺菌すると同時に、他方の面の殺菌処理も行われている。
【００４４】
次に原稿Ｓは流し読みガラス２０に密着しながら読み取り部へと搬送される。そして読み取り部を通過する際に、スキャナユニット２０４により原稿表面の主走査方向の読み取りが行われる（Ｓ１０９）。またコンタクトイメージセンサ２４により原稿の裏面の読み取りが行われる。これにより、原稿Ｓの全体が読み取られる。読み取られた原稿Ｓは、搬送ローラ１３へと送られ、そして排紙ローラ１６から排出トレイ６５上へと排出される。
【００４５】
ラスト原稿かどうかを判断し（Ｓ１１０）、ラスト紙でなければＳ１０７に移行する。のラスト紙の読み取り動作が終わると、紫外線ランプ３０１はＯＦＦされ（Ｓ１１１）、
前述した実施形態では、給紙動作中には紫外線ランプ３０１はＯＮのままとしたが、原稿の紙間（原稿が紫外線ランプ３０１付近にいないとき）には、これをＯＦＦさせてもよい。
【００４６】
なお、本実施の形態においては、紫外線ランプとして２５４ｎｍの波長の光源を用いたが、紫外線ランプとしてＬＥＤを用いてもよく、その場合には、３６５ｎｍ付近の波長を用いる。
【００４７】
本実施形態では、原稿の搬送速度に応じた光量で紫外線ランプが光を照射するので電力の浪費が抑えられるとともに紫外線ランプが高寿命化する。
【００４８】
（第２実施形態）
以下、図面を参照して、本発明の好適な第２の実施の形態を例示的に説明する。なお、装置構成については第１の実施の形態とほぼ同様であり、紫外線ランプの配置と原稿を搬送する構成部品、並びに、原稿速度を切り替えがコピーモードとＳＥＮＤモードで切り換える点が第１実施形態と異なるので、異なる点についてのみ詳細な説明を行う。
【００４９】
図５は本発明の第２の実施形態に係る画像読取装置の断面図、図６は画像形成装置の断面図、図７は画像読取装置の給紙動作および殺菌動作を示すフロー図である。
【００５０】
［画像読取装置構成］
画像読取装置２１２の構成について説明する。
画像読取装置２１２は、現行の画像を読み込むためのスキャナ部６６およびＡＤＦ２１１から構成される。ＡＤＦ２１１は透明ガラスとしての流し読みガラス２０上に原稿Ｓを一枚ずつ送るものである。またＡＤＦ２１１はスキャナ部６６に対して開閉可能に構成されており、プラテン１８上に載置した原稿を押圧するよう作用する。スキャナ部６６は、前記ＡＤＦ２１１によって搬送される原稿またはプラテン１８上に載置された原稿の画像を光学的に読み取り、光電変換して画像情報として入力するものである。
【００５１】
流し読みガラス２０の上方には流し読みガラス２０での原稿搬送性を安定させるためのプラテンローラ８２およびコロ８３、８４が設けられている。プラテンローラ８２およびコロ８３、８４は、流し読みガラス２０に対して所定のギャップを開けて配置されている。
【００５２】
図６に示すように、画像読取装置は、前記流し読みガラス２０上を搬送されている原稿の一方の面の画像を読み取る読み取り手段を有している。読み取り手段はランプ２０２やミラー２０３等を有する移動可能なスキャナユニット２０４、ミラー２０５、２０６、レンズ２０７、イメージセンサ２０８等により構成されている。この読取手段は、スキャナ部６６側に設けられている。読取手段は、スキャナユニット２０４を所定位置（図６に示す位置）に停止させ、該スキャナユニット２０４上の前記流し読みガラス２０上を搬送されている原稿の一方の画像を読み取る。
【００５３】
次に、ＡＤＦ２１１は、上方に原稿トレイ６４を有している。原稿トレイ６４上の原稿Ｓは、給紙ローラ１７により順次その最上位の原稿から繰り出される。繰り出された原稿Ｓは、分離搬送ローラ１９によって一枚ずつ分離給送される。分離給送された原稿Ｓはスキャナ部６６の流し読みガラス２０上を通過する際に、前記スキャナユニット２０４によって画像を読み取られる。画像が読み取られた原稿Ｓは、排出ローラ１６によって排出トレイ６５上に排出される。
【００５４】
また、排出ローラ１６と搬送ローラ１５の間には搬送パス８１が設けられている。原稿の他方の面を読み取る際には、原稿Ｓを一端排出ローラまで搬送した後、スイッチバックさせて搬送パス８１から搬送ローラ１５へと搬送する。このようにして原稿の表裏を反転させ、再び流し読みガラス２０を通過させ、その際スキャナユニット２０４を介してイメージセンサ２０８にて他方の画像を読み取る。
【００５５】
［紫外線ランプ構成］
紫外線ランプ３０１はコロ８４の下流側で、かつ搬送ローラ１３の上流側に配置されている。そして、画像の読み取りを終えた原稿Ｓの殺菌を行う。
【００５６】
紫外線ランプのその他の構成については、第１の実施形態と同様であるため説明を省略する。
【００５７】
［給紙動作および殺菌動作の詳細説明］
次に、ＣＰＵ回路部１０００によって行われる給紙動作および殺菌動作について図７を利用して詳細に説明する。
【００５８】
まず、原稿Ｓを原稿トレイ６４上にセットすると、不図示のセンサーによって原稿Ｓが検知され、ＡＤＦ２１０は動作開始可能な状態（スタンバイ状態）となり、スタートキー押下などにより、動作が開始する。
【００５９】
するとまず、不図示の操作部（選択手段）により選択されたモードがコピーモードかＳＥＮＤモードかの判定が行われる（Ｓ２０１）。ここでＳＥＮＤモードの設定が判定されると、原稿搬送速度がＺ２（ｍｍ／ｓ）に設定される（Ｓ２０２）。それと同時に、紫外線の照射量（光量）がＡ２（ｍＷ／ｃｍ２）と決定される。ＳＥＮＤモードではなく、通常のコピーモードの場合には、原稿搬送速度はＺ１（ｍｍ／ｓ）に設定され（Ｓ２０３）、同時に紫外線の照射量（光量）はＡ１（ｍＷ／ｃｍ２）と決定される（Ｓ２０４）。このとき、原稿搬送速度はＺ２＞Ｚ１の関係となっている。また紫外線照射量はＡ２＞Ａ１の関係となっている。
【００６０】
このようにして紫外線照射量が決定された後のＳ２０６からＳ２１１のステップについては、第１の実施の形態（図４）でのＳ１０６〜Ｓ１１１と同様であるため省略する。
【００６１】
上記第１、第２の実施形態では、不図示の操作部（選択手段）によりユーザが選択した画像読取に係るモードに応じて原稿の搬送速度が自動的にＣＰＵ回路部１０００によって設定される。そして設定された原稿の搬送速度に対応させた紫外線ランプ３０１の光量となるようにＣＰＵ回路部１０００が紫外線ランプ３０１を制御する。
【００６２】
（第３の実施形態）
以下、図面を参照して、本発明の好適な第３の実施形態を例示的に説明する。なお、装置構成については第１実施の形態と同様であり、速度の設定にかかる制御が第１の実施系形態と異なるので、第１実施形態との相違点の動作についてのみ説明を行う。
【００６３】
図８は、第３の実施形態に係る画像読取装置の給紙動作および殺菌動作を示すフロー図である。
【００６４】
［給紙動作および殺菌動作の詳細説明］
まず、原稿Ｓを原稿トレイ６４上にセットすると、不図示のセンサーによって原稿Ｓが検知され、ＡＤＦ２１０は動作開始可能な状態（スタンバイ状態）となり、スタートキー押下などにより、動作が開始する。
【００６５】
この第３実施形態では、不図示の操作部（選択手段）によって、省電力モードとしての省電力殺菌モードの種類をユーザが選択可能になっている。まず、操作部により選択されたモードが省電力殺菌モードかどうかの判定が行われる（Ｓ３０１）。ここで、省電力殺菌モードとは、原稿読み取りの速度を通常よりも低下させることにより生産性を低減させ、その代わりに消費電力も低減させるモードである。
【００６６】
ここで省電力殺菌モードの設定が判定されると、原稿搬送速度がＺ４（ｍｍ／ｓ）に設定される（Ｓ３０２）。それと同時に、紫外線の照射量（光量）がＡ４（ｍＷ／ｃｍ２）と決定される（Ｓ３０４）。省電力殺菌モードではなく、通常のコピーモードの場合には、原稿搬送速度はＺ１（ｍｍ／ｓ）と判定され（Ｓ３０３）、同時に紫外線の照射量（光量）はＡ１（ｍＷ／ｃｍ２）と決定される（Ｓ３０５）。このとき、原稿搬送速度はＺ４＜Ｚ１の関係となっている。つまり、省電力殺菌モードでの原稿搬送速度Ｚ４は、通常のコピーモードでの原稿搬送速度Ｚ１よりも低速である。また紫外線の照射量はＡ４＜Ａ１の関係となっている。つまり、省電力殺菌モードでの照射量Ａ４は、通常のコピーモードでの照射量Ａ１よりも少ない。
【００６７】
このようにして紫外線の照射量が決定された後のＳ３０６からＳ３１１のステップについては、第１の実施の形態（図４）でのＳ１０６〜Ｓ１１１と同様であるため省略する。
【００６８】
（第４の実施形態）
以下、図面を参照して、本発明の好適な第４の実施形態を例示的に説明する。なお、装置構成については第１の実施の形態と同様であり、紫外線の照射量の変更に係る制御が異なるので、第１の実施形態と異なる点についてのみ説明を行う。図９は本発明の第４の実施の形態に係る画像読取装置の給紙動作および殺菌動作を示すフロー図であり、図１２はシート処理装置の制御部構成を示すブロック図である。
【００６９】
ＡＤＦ２１０の制御部は、図１２に示すように、ＣＰＵ１００１、ＲＯＭ１００２、ＲＡＭ１００３などで構成されるＣＰＵ回路部１０００を有する。ＣＰＵ回路部１０００は、通信ＩＣ１００４を介して画像形成装置本体側に設けられたＣＰＵ回路部１００５と通信してデータ交換を行い、ＣＰＵ回路部１００５からの指示に基づきＲＯＭ１００２に格納されている各種プログラムを実行してＡＤＦ２１０の駆動制御を行う。
【００７０】
この駆動制御を行う際には、ＣＰＵ回路部１０００に各種センサーからの検出信号が取り込まれる。この各種センサーとしては、原稿検知センサー、原稿搬送速度検知センサーなどがある。
【００７１】
ＣＰＵ回路部１０００にはドライバー１００６が接続され、ドライバー１００６はＣＰＵ回路部１０００からの信号に基づき各種モータＭ１および紫外線ランプの動作を制御する。
【００７２】
これらのモータはステッピングモータからなり、励磁パルスレートを制御することによって各モータにより駆動するローラ対を等速で回転させたり、独自の速度で回転させたりすることができる。また、ドライバー１００６により正逆のそれぞれの回転方向に駆動可能である。
【００７３】
［給紙動作および殺菌動作の詳細説明］
まず、原稿Ｓを原稿トレイ６４上にセットすると、不図示のセンサーによって原稿Ｓが検知され、ＡＤＦ２１０は動作開始可能な状態（スタンバイ状態）となり、スタートキー押下などにより、動作が開始する。
【００７４】
するとまず、紫外線ランプ３０１をＯＮとする（Ｓ４０１）。そして原稿Ｓの給紙動作が開始される（Ｓ４０２）。給紙された原稿Ｓは、原稿搬送速度検知手段により常時その搬送速度が検知される（Ｓ４０３）。検知された搬送速度に応じて紫外線ランプ３０１の紫外線の照射量（光量）が決定される（Ｓ４０４）。ここでは、ゲのう搬送速度が速い際には紫外線の照射量を増加する。搬送速度が低い際には紫外線の照射量を低下させる。
【００７５】
搬送ローラ１５を通過した原稿Ｓは、紫外線ランプ３０１により紫外線を照射されながら搬送されていくことで原稿の殺菌処理が行われる（Ｓ４０５）。その後原稿Ｓは流し読みガラス２０に密着しながら読み取り部へと搬送される。そして読み取り部を通過する際に、表面をスキャナユニット２０４により原稿表面の主走査方向の読み取りが行われ、またコンタクトイメージセンサ２４により原稿の裏面の読み取りが行われる（Ｓ４０６）。読み取られた原稿Ｓは、搬送ローラ１３へと送られ、そして排紙ローラ１６から排出トレイ６５上へと排出される。ラスト原稿かどうかを判断し（Ｓ４０７）、ラスト紙でなければＳ４０２に移行する。ラスト紙の読み取り動作が終わると、紫外線ランプはＯＦＦされ（Ｓ４０８）。
【００７６】
このように原稿Ｓを搬送している間、原稿Ｓの搬送速度を監視し、それに応じて紫外線の照射量を調整する。このような制御は、原稿搬送中にさまざまな速度制御を行っている際に有効となる。
【００７７】
上記第１乃至第４のいずれの実施形態においても、原稿の搬送速度に応じた光量で紫外線ランプが光を照射するので電力の浪費が抑えられるとともに紫外線ランプが高寿命化する。
【００７８】
（第５の実施形態）
以下、図面を参照して、本発明の好適な第５の実施の形態を例示的に説明する。なお、装置構成については第１の実施の形態と同様であり、厚紙モードかどうかによって紫外線の照射量を変更する点が異なるので、異なる点についてのみ説明を行う。
【００７９】
図１０は本発明の第５の実施の形態に係る画像読取装置の給紙動作および殺菌動作を示すフロー図である。
【００８０】
［給紙動作および殺菌動作の詳細説明］
まず、厚紙原稿の読み取りを行う場合には、不図示の操作部（選択手段）から厚紙モードの設定を行う。本実施形態では、操作部によって、厚紙モードとして、厚紙モード１（１０６〜２０９ｇ／ｍ２）と厚紙モード２（２１０〜２５３ｇ／ｍ２）を選択できるように構成されており、読み取りを行う原稿に合わせて厚紙モードをユーザが選択する。
【００８１】
次に、原稿Ｓを原稿トレイ６４上にセットすると、不図示のセンサーによって原稿Ｓが検知され、ＡＤＦ２１０は動作開始可能な状態（スタンバイ状態）となり、スタートキー押下などにより、動作が開始する。
【００８２】
するとまず、厚紙モード設定の判定が行われる。ここで厚紙モード１が選択されていると判定されると（Ｓ５０１のＹＥＳ）、紫外線の照射量（光量）がＡ５（ｍＷ／ｃｍ２）と決定される（Ｓ５０２）。厚紙モード２が選択されていると判定された場合には（Ｓ５０１でＮＯであってＳ５０３でＹＥＳ）、紫外線の照射量（光量）はＡ６（ｍＷ／ｃｍ２）と決定される（Ｓ５０４）。厚紙モード１、２のいずれも選択されていない場合には（Ｓ５０３でＮＯ）、紫外線の照射量（光量）はＡ１（ｍＷ／ｃｍ２）と決定される。このとき、それぞれの紫外線の照射量の関係は、
Ａ６＞Ａ５＞Ａ１
となっている。
【００８３】
このようにして厚紙の場合には、紫外線照射量を増加させることにより、原稿が厚紙の場合でも殺菌効果を低下させることがなくなる。
【００８４】
このようにして紫外線照射量が決定された後のＳ５０６からＳ５１１のステップについては、第１の実施の形態（図４）でのＳ１０６〜Ｓ１１１と同様であるため省略する。
【００８５】
なお、本実施の形態においては厚紙モードを設定する構成としての説明を行ったが、薄紙モードを設定する装置構成の場合も同様であり、薄紙モードが選択された場合には、紫外線照射量を低下させるよう決定する。即ち、原稿の厚さが薄い程、紫外線の照射量（光量）が少なく制御する。このように稿の厚さに応じた光量で紫外線ランプが光を照射するので電力の浪費が抑えられるとともに紫外線ランプが高寿命化する。
【００８６】
上述のいずれの実施形態実施形態では原稿の衛生状態を向上することができる。
【００８７】
ここで、紫外線ランプを使用して殺菌処理を行う場合、紫外線ランプを作動させるために電力がかかるので、過度に紫外線ランプを使用することは電力の浪費につながる。また、紫外線ランプを過度に長時間照射し続けると、紫外線ランプの寿命が短くなってしまう。第１乃至第４の実施形態では、原稿の搬送速度に応じて紫外線ランプの光量を設定し、また、第５の実施形態では、原稿の厚さに応じて紫外線ランプの光量を設定しているので、効率的に電力を消費することができる。また、衛生処理のための紫外線ランプの寿命を延命化できる。
【符号の説明】
【００８８】
３０１  紫外線ランプ
２４  コンタクトイメージセンサ
１０００  ＣＰＵ回路部
【図１】
2014110496.tif 000003
【図２】
2014110496.tif 000004
【図３】
2014110496.tif 000005
【図４】
2014110496.tif 000006
【図５】
2014110496.tif 000007
【図６】
2014110496.tif 000008
【図７】
2014110496.tif 000009
【図８】
2014110496.tif 000010
【図９】
2014110496.tif 000011
【図１０】
2014110496.tif 000012
【図１１】
2014110496.tif 000013
【図１２】
2014110496.tif 000014